(57)【特許請求の範囲】
【請求項１】
位置に関する情報を受信する位置情報受信部と、
商品を購入する予定の店舗に関する情報と、購入予定の商品情報とを記憶する記憶部と、
前記位置情報受信部が受信する前記位置に関する情報に基づいて、現在位置が、前記店舗に関する情報に基づく特定範囲内であるか否かを判定するとともに、購入済みの商品の登録を受け付けて前記記憶部に記憶する制御部とを備え、
前記制御部は、前記位置情報受信部が受信する前記位置に関する情報に基づいて前記特定範囲内に位置したと判定した後、前記位置情報受信部が受信する前記位置に関する情報に基づいて前記特定範囲外に位置したと判定した時に、未購入の商品があると通知を行う、
ことを特徴とする買い忘れ防止装置。
【請求項２】
前記位置情報受信部は、前記ユーザの位置情報としてＧＰＳ信号を受信するＧＰＳ信号受信部であり、
前記制御部は、前記位置に関する情報として受信した前記ＧＰＳ信号に基づいて、前記現在位置を算出し、前記特定範囲内であるか否かを判定する、
ことを特徴とする請求項１に記載の買い忘れ防止装置。
【請求項３】
前記位置情報受信部は、前記ユーザの位置情報としてＰＯＳ端末装置からの近距離無線による店舗識別番号を含む送信データを受信する、近距離無線通信部であり、
前記制御部は、前記送信データの前記店舗識別番号が、前記店舗に関する情報として記憶されているものと一致する場合は、現在位置が前記特定範囲内であると判定し、前記送信データの前記識別番号が、前記店舗に関する情報として記憶されているものと一致しない場合、及び前記近距離無線通信部が前記送信データを受信していない場合は、現在位置が前記特定範囲内ではないと判定する、
ことを特徴とする請求項１に記載の買い忘れ防止装置。
【請求項４】
前記近距離無線通信部で、前記ＰＯＳ端末装置から近距離無線によって購入済みの商品のデータを受信して、購入済みの商品の登録を受け付ける、
ことを特徴とする請求項３に記載の買い忘れ防止装置。
【請求項５】
未購入の商品があると通知を行う買い忘れ防止装置の買い忘れ防止方法であって、
記憶部に、商品を購入する予定の店舗に関する情報と購入予定の商品情報とを記憶し、
位置情報受信部が、位置に関する情報を受信し、
制御部が、前記位置情報受信部が受信する前記位置に関する情報に基づいて、現在位置が前記店舗に関する情報に基づく特定範囲内であるか否かを判定するとともに、購入済みの商品の登録を受け付けて前記記憶部に記憶し、
前記制御部が、前記位置情報受信部が受信する前記位置に関する情報に基づいて前記特定範囲内に位置したと判定した後、前記位置情報受信部が受信する前記位置に関する情報に基づいて前記特定範囲外に位置したと判定した時に、未購入の商品があると通知を行う、ことを特徴とする買い忘れ防止方法。
【請求項６】
前記位置情報受信部は、前記ユーザの位置情報としてＧＰＳ信号を受信するＧＰＳ信号受信部であり、
前記制御部は、前記位置に関する情報として受信した前記ＧＰＳ信号に基づいて、前記現在位置を算出し、前記特定範囲内であるか否かを判定する、
ことを特徴とする請求項５に記載の買い忘れ防止方法。
【請求項７】
前記位置情報受信部は、前記ユーザの位置情報としてＰＯＳ端末装置からの近距離無線による店舗識別番号を含む送信データを受信する、近距離無線通信部であり、
前記制御部は、前記送信データの前記店舗識別番号が、前記店舗に関する情報として記憶されているものと一致する場合は、現在位置が前記特定範囲内であると判定し、前記送信データの前記識別番号が、前記店舗に関する情報として記憶されているものと一致しない場合、及び前記近距離無線通信部が前記送信データを受信していない場合は、現在位置が前記特定範囲内ではないと判定する、
ことを特徴とする請求項５に記載の買い忘れ防止方法。
【請求項８】
前記ＰＯＳ端末装置は、前記ユーザが商品を購入する際に使用する電子カードの識別番号と前記買い忘れ防止装置の識別番号とを対応付けたテーブルを記憶し、前記電子カードが使用されると対応付けられた前記買い忘れ防止装置に購入済みの商品のデータを近距離無線によって送信し、
前記制御部は、前記近距離無線通信部で、前記ＰＯＳ端末装置から近距離無線によって送信された購入済みの商品のデータを受信して、購入済みの商品の登録を受け付ける、
ことを特徴とする請求項７に記載の買い忘れ防止方法。
【発明の詳細な説明】
【技術分野】
【０００１】
本発明は、買い忘れ防止装置、及び方法に関する。
【背景技術】
【０００２】
商品を購入しようと考えた人々は、商品名等の商品情報や、購入を予定している店舗名等の店舗情報についての買物メモを作成し、商品の買い忘れを防止しようとする。しかしながら、買物メモを作成したことや、作成した買物メモを参照することを忘れてしまうこともあるため、商品の買い忘れを防止することは難しかった。
【０００３】
特許文献１には、携帯端末に購入予定商品情報と、店舗情報と、店舗位置情報とを対応付けた、買物備忘録リストを携帯端末に記憶させ、店舗に近づくと、携帯端末が購入予定商品の情報を表示する技術が開示されている。
【先行技術文献】
【特許文献】
【０００４】
【特許文献１】特開２００５−３１６７１７号公報
【発明の概要】
【発明が解決しようとする課題】
【０００５】
しかしながら、特許文献１に記載されている技術は、商品を購入する店舗において商品リストを通知する技術は開示しているが、商品を買い忘れてしまった場合については考慮していない。買い忘れを防止するためには、買物メモを作成するだけでなく、商品の購入を忘れた時にユーザに通知する技術が必要である。
【０００６】
上記特許文献１の事柄を考慮した、より買い忘れを防止することのできる技術が望まれる。
【０００７】
したがって、本発明は、上記した課題を解決することのできる買い忘れ防止装置、及び方法を得ることを企図している。具体的には、ユーザが、予め入力された購入予定の商品の購入を忘れてしまった場合に、未購入の商品があることを通知して買い忘れを防止する、買い忘れ防止装置、及び方法の提供を目的とする。
【課題を解決するための手段】
【０００８】
本発明の買い忘れ防止装置は、位置に関する情報を受信する位置情報受信部と、商品を購入する予定の店舗に関する情報と購入予定の商品情報とを記憶する記憶部と、上記位置情報受信部が受信する上記位置に関する情報に基づいて、現在位置が、上記店舗に関する情報に基づく特定範囲内であるか否かを判定するとともに、購入済みの商品の登録を受け付けて上記記憶部に記憶する制御部とを備え、上記制御部は、上記特定範囲内に位置した後、上記特定範囲外に位置したと判定された時に、未購入の商品があると通知を行う。
【０００９】
本発明の買い忘れ防止方法は、未購入の商品があると通知を行う買い忘れ防止装置の買い忘れ防止方法であって、記憶部に、商品を購入する予定の店舗に関する情報と購入予定の商品情報とを記憶し、位置情報受信部が、位置に関する情報を受信し、制御部が、上記位置情報受信部が受信する上記位置に関する情報に基づいて、現在位置が上記店舗に関する情報に基づく特定範囲内であるか否かを判定するとともに、購入済みの商品の登録を受け付けて上記記憶部に記憶し、上記特定範囲内に位置した後、上記特定範囲外に位置したと判定された時に、未購入の商品があると通知を行う。
【発明の効果】
【００１０】
本発明によれば、購入予定の商品の買い忘れを防止することのできる買い忘れ装置を提供できる。
【図面の簡単な説明】
【００１１】
【図１】本発明の第１の実施例に係る買い忘れ防止装置の一例を示すブロック図である。
【図２】本発明に係る買い忘れ防止装置の買物メモの作成画面の一例を示す概略図である。
【図３】本発明に係る買い忘れ防止装置の買物メモの一例を示す概略図である。
【図４】本発明の第１の実施例に係る買い忘れ防止装置が実行する処理の流れを示すフローチャートである。
【図５】本発明の第２、３の実施例に係る買い忘れ防止装置の一例を示すブロック図である。
【図６】本発明の第２の実施例に係る買い忘れ防止装置が実行する処理の流れを示すフローチャートである。
【図７】本発明に係る第３の実施例に係る買い忘れ防止装置が実行する処理の流れを示すフローチャートである。
【発明を実施するための形態】
【００１２】
本発明を実施するための形態について、図面を参照しながら詳細に説明する。
【００１３】
［１．第１の実施例］
図１は、第１の実施例に係る、買い忘れ防止装置の一例を示すブロック図である。買い忘れ防止装置１００は、携帯端末装置であって、制御部１１０と、通信部１２０と、表示部１３０と、入力部１４０と、記憶部１５０と、通知部１６０と、ＧＰＳ（Ｇｌｏｂａｌ  Ｐｏｓｉｔｉｏｎｉｎｇ  Ｓｙｓｔｅｍ）通信部１７０とを備えている。買い忘れ防止装置１００は、買い忘れ防止装置としての機能の他に、通信網を介した通話の機能等を備えるものであってもよい。
【００１４】
制御部１１０は、買い忘れ防止装置１００の制御管理を行う。例えば、現在位置の算出、買物メモの作成・管理、通知部１６０に対する出力の指示等、買い忘れ防止装置１００が実行する様々な処理の制御を行う。
【００１５】
通信部１２０は、店舗サーバに接続し、購入予定の商品名等の商品情報と、商品を購入する予定の店舗名・住所等の店舗情報とを取得する。制御部１１０は、通信部１２０が取得した商品情報と、店舗情報とに基づいて、買物メモ用情報を得る。また、制御部１１０は、通信部１２０が取得した店舗の住所に基づいて、特定範囲を設定する。特定範囲とは、ユーザが買物をしている途中であると、制御部１１０が判定する範囲である。さらに制御部１１０は、特定範囲の外に出た時点で、買物メモに記載されている商品の中に未購入の商品があった場合は、買い忘れがあると判定する。なお、ユーザは、特定範囲の広さを任意に決めることができる。
【００１６】
表示部１３０は、例えば、ＬＣＤ（Ｌｉｑｕｉｄ  Ｃｒｙｓｔａｌ  Ｄｉｓｐｌａｙ）から構成され、買物メモ等を表示するディスプレイである。表示部１３０は、タッチセンサを備えたタッチパネルであってもよい。ユーザは、買物メモを参照することで、購入予定の商品が購入済みであるか、もしくは未購入であるかを確認することができる。
【００１７】
入力部１４０は、キーパッド、もしくはタッチパネルであって、買物メモの作成・管理の際に使用する。例えば、ユーザは商品を購入した際に、購入済みである商品にチェックを入れることで、買物メモの管理を行うことができる。
【００１８】
記憶部１５０は、通信部１２０を経由して取得した、もしくはユーザが直接入力した商品情報と店舗情報とを保持する。また、記憶部１５０は、買物メモに登録された商品が、購入済みであるか、未購入であるかを示す管理情報も保持する。さらに、記憶部１５０は、買い忘れ防止装置１００に個別に付与されている識別番号を保持していてもよい。
【００１９】
通知部１６０は、買物メモに含まれている商品に未購入品があった場合に、ユーザに未購入品がある旨の通知を行う。この通知は、音声メッセージを出力するものであってもよいし、アラーム音を鳴らすものであってもよいし、装置を振動させることによって通知するものであってもよい。通知部１６０は、ユーザが買物を終えた後に買い忘れ防止装置１００の確認を忘れる場合もあるため、音声メッセージやアラーム音を出力したり、装置を振動させることによって通知する。
【００２０】
ＧＰＳ通信部１７０は、ＧＰＳ衛星からのＧＰＳ信号を受信する。ＧＰＳ通信部１７０は、ＧＰＳ信号を受信すると、その信号を制御部１１０に送信する。制御部１１０は、ＧＰＳ信号に基づいて現在位置を算出し、現在位置が特定範囲の内であるか、もしくは外であるかを判定する。通知部１６０は、現在位置が特定範囲の外であると判定され、且つ、未購入品がある場合、ユーザにその旨を通知する。
【００２１】
［２．買物メモの作成］
図２は、買物メモ作成画面の一例を示す概略図である。以下では、図２を適宜参照しながら、本発明における買物メモの作成方法について説明する。
【００２２】
図２を参照すると、買物メモ作成画面２００は、店舗情報表示域２１０と、商品情報表示域２２０とを含んでおり、商品情報表示域２２０は、買物メモ追加ボタン２３０を含んでいる。
【００２３】
店舗情報表示域２１０には、商品を販売している店舗名が表示される。店舗名は、通信部１２０が店舗のサーバに接続して取得した情報を利用してもよいし、ユーザが直接入力してもよい。
【００２４】
商品情報表示域２２０には、店舗情報表示域２１０に表示されている店舗で購入することのできる商品一覧が表示される。店舗名を取得した時と同様に、商品一覧は、通信部１２０が店舗のサーバに接続して取得した情報を利用してもよいし、ユーザが直接入力してもよい。
【００２５】
買物メモ追加ボタン２３０は、買物メモに商品を登録するためのボタンである。買物メモ作成画面２００に表示された商品リストのうち、ユーザが登録した商品のみが買物メモに追加される。表示部１３０にタッチパネルを使用している場合は、画面上で買物メモ追加ボタン２３０を押下することで買物メモに登録することができる。また、表示部１３０にタッチパネルを使用していない場合は、入力部１４０からの操作によって、購入する予定の商品を買物メモに追加することができる。
【００２６】
［３．買物メモ］
図３は、買物メモの一例を示す概略図である。以下では、図３を適宜参照しながら、本発明における買物メモについて説明する。
【００２７】
図３を参照すると、買物メモ３００は、店舗別ファイル３１０と、店舗情報３２０と、購入予定商品３３０と、を含んでいる。
【００２８】
店舗別ファイル３１０は、店舗情報３２０と、購入予定商品３３０との情報を店舗毎にまとめたファイルである。図３は、店舗１〜３の３店舗についてファイルを作成しているが、ファイルを作成する店舗の数を限定するものではない。ファイルを作成する店舗の数は、ユーザの任意で自由に設定することができる。
【００２９】
店舗情報３２０は、商品を購入する店舗の名称と、その店舗の住所との情報である。店舗の住所が買物メモ３００に登録されると、制御部１１０は、その住所を中心として、例えば、所定の半径の範囲を特定範囲として設定する。所定の半径は、ユーザが任意で設定することが可能であり、図３の例で言うと、店舗１〜３のそれぞれに対して、半径が異なる特定範囲を設定することも可能である。
【００３０】
購入予定商品３３０は、購入予定の商品の一覧である。表示部１３０にタッチパネルを使用している場合、ユーザは画面上の商品名をタッチすることで購入済みの商品を登録することができる。この時、表示部１３０にタッチパネルを使用していない場合には、ユーザは入力部１４０から購入済みであることを入力できる。例えば、図３の例で言うと、「砂糖」と「醤油」にチェック印が付いている。この印は、「砂糖」と「醤油」は、購入済みであることを示している。したがって、ユーザは、購入予定の商品が購入済みであるのか、もしくは未購入であるのかを、表示部１３０を参照することで判別できる。購入済みであると登録された商品は、制御部１１０が記憶部１５０に格納する。
【００３１】
図４は、本発明に係る買い忘れ防止装置の処理の流れを示すフローチャートである。以下では、図１と、図４とを適宜参照しながら、本発明に係る買い忘れ防止装置１００が実行する処理の流れについて説明する。
【００３２】
まず、ユーザは買い忘れ防止装置１００に購入する予定の商品名等の情報である商品情報と、商品を購入する予定の店舗の店舗名、住所等の情報である店舗情報とを登録し、買物メモを作成する（ステップＳ４００）。商品情報と店舗情報は、通信部１２０が店舗サーバから取得した情報を利用してもよいし、ユーザが直接入力して作成してもよい。また、制御部１１０は、店舗の住所を中心とする特定範囲を設定する。なお、特定範囲の広さは、ユーザの任意で決めることができる。
【００３３】
次に、制御部１１０は、現在位置が特定範囲の内であるか、もしくは外であるかを判定する（ステップＳ４０１）。現在位置は、制御部１１０がＧＰＳ信号に基づいて算出する。現在位置が特定範囲の外である場合（ステップＳ４０２において「ＮＯ」）、処理はステップＳ４０１に戻る。そして、制御部１１０は、現在位置が特定範囲内となるまで、同様の処理を繰り返す。
【００３４】
現在位置が特定範囲内である場合（ステップＳ４０２において「ＹＥＳ」）、制御部１１０は、買物メモを、表示部１３０に表示する（ステップＳ４０３）。
【００３５】
ユーザは、買物メモに記載された商品を購入した場合、購入した商品を登録する。商品の登録は、表示部１３０にタッチパネルを使用している場合には、画面上の商品を押下することで行う。また、表示部１３０にタッチパネルを使用していない場合には、入力部１４０から操作することで商品を登録する。この時、登録された商品は、制御部１１０が記憶部１５０に格納する（ステップＳ４０４）。ステップＳ４０４では、商品の登録があった場合は商品を登録した後、商品の登録がなかった場合は商品を登録することなく、次のステップに移行する。
【００３６】
次に、制御部１１０は、現在位置が特定範囲内であるか、もしくは外であるかを再び判定する（ステップＳ４０５）。ステップＳ４０５においての判定は、買物メモ作成直後から常時行なっている。制御部１１０は、ユーザが買物途中であるか、もしくは買物を終えたのかを、特定範囲に対する現在位置によって判定する。現在位置が特定範囲内である場合（ステップＳ４０６において「ＹＥＳ」）、制御部１１０は、ユーザが買物途中であると判定し、引き続き購入済みの商品の入力を受け付ける。
【００３７】
現在位置が特定範囲外である場合（ステップＳ４０６において「ＮＯ」）、制御部１１０は、買物メモと、記憶部１５０が保持する購入済みの商品とに基づいて未購入品の有無を検索する（ステップＳ４０７）。
【００３８】
検索の結果、未購入品がある場合（ステップＳ４０８において「ＹＥＳ」）、制御部１１０は、通知部１６０から、ユーザに通知する（ステップＳ４０９）。ユーザへの通知は、アラーム音を出力するものであってもよいし、音声メッセージを出力するものであってもよいし、装置を振動させることによって通知するものであってもよい。通知によって、ユーザは、買物メモの確認を忘れた場合でも、未購入品があることに気が付くことができる。また、通知部１６０からの通知時に、表示部１３０に未購入の商品がある旨のメッセージを表示させるようにしてもよい。
【００３９】
また、未購入品がない場合（ステップＳ４０８において「ＮＯ」）、制御部１１０は、他店舗の買物メモの有無を検索する（ステップＳ４１０）。他店舗の買物メモが無い場合（ステップＳ４１１において「ＮＯ」）、処理は終了となる。
【００４０】
他店舗の買物メモが有る場合（ステップＳ４１０において「ＹＥＳ」）、その買物メモについて、上記の処理を行う。
【００４１】
［４．第２の実施例］
図５は、本発明の第２の実施例に係る買い忘れ防止装置５００を示したブロック図である。第１の実施例に係る買い忘れ防止装置１００と同じ構成要件には、同一の参照番号を付している。買い忘れ防止装置１００と買い忘れ防止装置５００との差異は、買い忘れ防止装置５００は、ＧＰＳ通信部１７０の代わりに近距離無線通信部１８０を備えている点である。即ち、この実施例は、近距離無線通信を行うことができるＰＯＳ（Ｐｏｉｎｔ Ｏｆ Ｓａｌｅ）端末装置が店舗内に設置され、当該端末装置から近距離無線通信によって店舗に関する情報が送信されている場合に適用できる。
【００４２】
近距離無線通信部１８０は、店舗内に設置されているＰＯＳ端末装置から所定時間ごとに送信される近距離無線による送信データを受信する。制御部１１０は、近距離無線通信部１８０がＰＯＳ端末装置からの近距離無線による送信データを受信して、現在位置が特定範囲内であるか、もしくは外であるかを判定する。また、ＰＯＳ端末装置が送信する近距離無線の送信データには、店舗を識別可能な店舗識別番号を含んでいる。
【００４３】
図６は、本発明の第２の実施例に係る買い忘れ防止装置５００が実行する処理の流れを示すフローチャートである。以下では、図５と、図６とを適宜参照しながら処理の流れを説明する。なお、説明の重複を避けるため、第１の実施例と同じ処理については詳細な説明を省略する。
【００４４】
まず、ユーザは買い忘れ防止装置５００に、第１の実施例と同様にして、買物メモを作成する（ステップＳ６００）。但し、第２の実施例では、店舗の住所に替えて、或いは、店舗の住所に加えて、買物メモの店舗別ファイルに店舗識別番号を登録する。制御部１１０は、近距離無線通信部１８０が近距離無線による送信データを受信して、特定範囲内であるか否かを判定する（ステップＳ６０１）。制御部１１０は、店舗内に設置されているＰＯＳ端末装置からの近距離無線による送信データを、近距離無線通信部１８０が受信することによって店舗識別番号を取得し、買物メモの店舗別ファイルに登録されている店舗識別番号と同一である場合、特定範囲内であると判定する。制御部１１０は、買物メモの店舗別ファイルに登録されている店舗識別番号と同一でない場合、特定範囲内ではないと判定する。また、近距離無線通信部１８０が近距離無線による送信データを受信していない場合も、特定範囲内ではないと判定する。
【００４５】
特定範囲内ではない場合（ステップＳ６０２において「ＮＯ」）、処理はステップＳ６０１に戻る。
【００４６】
特定範囲内である場合（ステップＳ６０２において「ＹＥＳ」）、次の処理に進む。
【００４７】
また、ステップＳ６０３〜Ｓ６１２については、ステップＳ４０３〜Ｓ４１２と同様の処理を実行するため説明は省略する。但し、ステップＳ６０５及びステップＳ６０６においては、ステップＳ６０１及びステップＳ６０２と同様の処理を実行する。
【００４８】
［５．第３の実施例］
次に、第３の実施例に係る買い忘れ防止装置について説明する。なお、第３の実施例に係る買い忘れ防止装置の構成は、第２の実施例の買い忘れ防止装置５００と同じである。
【００４９】
まず、第３の実施例と第２の実施例の差異について説明する。第２の実施例では、購入済みの商品を、ユーザが手動で買物メモに登録しているが、これに対して、第３の実施例では、ＰＯＳ端末装置から購入済みの商品のデータを受信して、自動で購入済みの商品の買物メモへの登録を行う。以下では、購入済みの商品のデータを取得する方法について説明する。
【００５０】
第３の実施例では、ＰＯＳ端末装置は、ユーザが商品の購入の際に使用する電子カードの識別番号と、買い忘れ防止装置の識別番号とを対応付けたテーブルを記憶部に保持している。ＰＯＳ端末装置は、ユーザがテーブルに登録されている識別番号の電子カードを使用すると、商品の精算処理後に購入済み商品のデータを買い忘れ防止装置５００に送信する。制御部１１０は、受信した購入済みの商品のデータに基づいて買物メモへの入力を行う。この時に、ユーザが使用する電子カードは、クレジットカードでもよいし、ポイントカードでもよい。さらには、プリペイドカードでもよいし、電子マネーカードでもよく、様々なカードの識別番号を買い忘れ防止装置５００の識別番号と対応付けることで使用することができる。
【００５１】
また、電子カードを利用しない場合、買い忘れ防止装置５００は、ＰＯＳ端末装置に、自身の識別番号とともに、購入済みの商品の情報の要求を送信する。要求に応じてＰＯＳ端末装置は、購入済みの商品のデータを買い忘れ防止装置５００宛に送信し、データを受信した買い忘れ防止装置５００は、データに基づいて買物メモへの入力を行う。
【００５２】
図７は、第３の実施例に係る、買い忘れ防止装置が実行する処理の流れを示すフローチャートである。第３の実施例に係る買い忘れ防止装置の構成は、第２の実施例と同じであるため、図５と図７とを適宜参照しながら説明する。なお、説明の重複を避けるために、第２の実施例と同じ処理については説明を省略する。
【００５３】
図７において、ステップＳ７００〜Ｓ７０３までの処理は、ステップＳ６００〜Ｓ６０３までの処理とそれぞれ同じである。
【００５４】
次に、制御部１１０は、購入済みの商品のデータをＰＯＳ端末装置から受信し、受信したデータは記憶部１５０に格納する（ステップＳ７０４）。ステップＳ７０４では、購入済みの商品のデータを受信した場合は購入済みの商品のデータを登録した後、購入済みの商品のデータを受信しなかった場合は購入済みの商品のデータを登録することなく、次のステップに移行する。
【００５５】
第３の実施例と第２の実施例の差異は、ステップＳ７０４における購入済みの商品の買物メモへの登録であり、ステップＳ７０５〜Ｓ７１２の処理は、ステップＳ６０５〜Ｓ６１２の処理と同じである。
【００５６】
また、上記の実施形態の一部又は全部は、以下のようにも記載されうる。なお、以下の付記は本発明を何等限定するものではない。
［付記１］
位置に関する情報を受信する位置情報受信部と、
商品を購入する予定の店舗に関する情報と購入予定の商品情報とを記憶する記憶部と、
上記位置情報受信部が受信する上記位置に関する情報に基づいて、現在位置が、上記店舗に関する情報に基づく特定範囲内であるか否かを判定するとともに、購入済みの商品の登録を受け付けて上記記憶部に記憶する制御部とを備え、
上記制御部は、上記特定範囲内に位置した後、上記特定範囲外に位置したと判定された時に、未購入の商品があると通知を行う、
ことを特徴とする買い忘れ防止装置。
［付記２］
上記位置情報受信部は、上記ユーザの位置情報としてＧＰＳ信号を受信するＧＰＳ信号受信部であり、
上記制御部は、上記位置に関する情報として受信した上記ＧＰＳ信号に基づいて、上記現在位置を算出し、上記特定範囲内であるか否かを判定する、
ことを特徴とする付記１に記載の買い忘れ防止装置。
［付記３］
上記位置情報受信部は、上記ユーザの位置情報としてＰＯＳ端末装置からの近距離無線による店舗識別番号を含む送信データを受信する、近距離無線通信部であり、
上記制御部は、上記送信データの上記店舗識別番号が、上記店舗に関する情報として記憶されているものと一致する場合は、現在位置が上記特定範囲内であると判定し、上記送信データの上記識別番号が、上記店舗に関する情報として記憶されているものと一致しない場合、及び上記近距離無線通信部が上記送信データを受信していない場合は、現在位置が上記特定範囲内ではないと判定する、
ことを特徴とする付記１に記載の買い忘れ防止装置。
［付記４］
上記近距離無線通信部で、上記ＰＯＳ端末装置から近距離無線によって購入済みの商品のデータを受信して、購入済みの商品の登録を受け付ける、
ことを特徴とする付記３に記載の買い忘れ防止装置。
［付記５］
未購入の商品があると通知を行う買い忘れ防止装置の買い忘れ防止方法であって、
記憶部に、商品を購入する予定の店舗に関する情報と購入予定の商品情報とを記憶し、
位置情報受信部が、位置に関する情報を受信し、
制御部が、上記位置情報受信部が受信する上記位置に関する情報に基づいて、現在位置が上記店舗に関する情報に基づく特定範囲内であるか否かを判定するとともに、購入済みの商品の登録を受け付けて上記記憶部に記憶し、上記特定範囲内に位置した後、上記特定範囲外に位置したと判定された時に、未購入の商品があると通知を行う、ことを特徴とする買い忘れ防止方法。
［付記６］
上記位置情報受信部は、上記ユーザの位置情報としてＧＰＳ信号を受信するＧＰＳ信号受信部であり、
上記制御部は、上記位置に関する情報として受信した上記ＧＰＳ信号に基づいて、上記現在位置を算出し、上記特定範囲内であるか否かを判定する、
ことを特徴とする付記５に記載の買い忘れ防止方法。
［付記７］
上記位置情報受信部は、上記ユーザの位置情報としてＰＯＳ端末装置からの近距離無線による店舗識別番号を含む送信データを受信する、近距離無線通信部であり、
上記制御部は、上記送信データの上記店舗識別番号が、上記店舗に関する情報として記憶されているものと一致する場合は、現在位置が上記特定範囲内であると判定し、上記送信データの上記識別番号が、上記店舗に関する情報として記憶されているものと一致しない場合、及び上記近距離無線通信部が上記送信データを受信していない場合は、現在位置が上記特定範囲内ではないと判定する、
ことを特徴とする付記５に記載の買い忘れ防止方法。
［付記８］
上記近距離無線通信部で、上記ＰＯＳ端末装置から近距離無線によって購入済みの商品のデータを受信して、購入済みの商品の登録を受け付ける、
ことを特徴とする付記７に記載の買い忘れ防止方法。
【００５７】
以上、実施例を参照して本発明を説明したが、本発明は上記実施例に限定されない。本発明の構成や詳細には、本発明のスコープ内で当事者が理解し得る様々な変更をすることができる。
【産業上の利用可能性】
【００５８】
本発明の買い忘れ防止装置は、買い忘れを防止する装置として使用することが可能である。
【符号の説明】
【００５９】
１００      買い忘れ防止装置
１１０      制御部
１２０      通信部
１３０      表示部
１４０      入力部
１５０      記憶部
１６０      通知部
１７０      ＧＰＳ通信部
１８０      近距離無線通信部
２００      買物メモ作成画面
２１０      店舗情報表示域
２２０      商品情報表示域
２３０      買物メモ追加ボタン
３００      買物メモ
３１０      店舗別ファイル
３２０      店舗情報
５００      買い忘れ防止装置
【図１】
0005900977.tif 000002
【図２】
0005900977.tif 000003
【図３】
0005900977.tif 000004
【図４】
0005900977.tif 000005
【図５】
0005900977.tif 000006
【図６】
0005900977.tif 000007
【図７】
0005900977.tif 000008